(57)【要約】【課題】電磁式駆動装置設置を押さえ装置に近い側のミシンヘッド部に設置し、回転式可動鉄心を応用した電磁石にリンク部材機構を組み合わせ、押さえ装置の昇降作用を電気制御し、ミシン縫い作業をより円滑に行うことができる、ミシン押さえ装置の電磁式駆動装置の提供。【解決手段】電磁式駆動装置がミシンのミシンヘッド部付近の側面カバーに設置され、前記電磁式駆動装置の可動鉄心が第一リンク部材に連結され、前記第一リンク部材の延伸された末端が第二リンク部材に連結され、さらに前記第二リンク部材の下端部が固定部材に連結され、前記固定部材が調整軸上に固定され、前記調整軸の下端部に押さえ装置が設けられ、電磁式駆動装置により迅速に反応しミシンの押さえ装置を昇降させることを特徴とする。【選択図】図１
0003123666.tif 000002
【実用新案登録請求の範囲】
【請求項１】
電磁式駆動装置及びリンク部材機構を含むミシン押さえ装置の電磁式駆動装置であって、そのうち、前記電磁式駆動装置がミシンのミシンヘッド部付近の側面カバーに設置され、前記電磁式駆動装置の可動鉄心が第一リンク部材に連結され、前記第一リンク部材の延伸された末端が第二リンク部材に連結され、さらに前記第二リンク部材の下端部が固定部材に連結され、前記固定部材が調整軸上に固定され、前記調整軸の下端部に押さえ装置が設けられ、電磁式駆動装置により迅速に反応しミシンの押さえ装置を昇降させることを特徴とした、ミシン押さえ装置の電磁式駆動装置。
【請求項２】
前記電磁式駆動装置の可動鉄心が回動式であり、回動軸に約25度の角度の回転をさせることができる、請求項１に記載のミシン押さえ装置の電磁式駆動装置。
【請求項３】
前記電磁式駆動装置がさらに、鉄管外殼、前記鉄管外殼内部に組み込まれたコイル、下蓋、底環状盤、軸座体を含み、前記鉄管外殼は内部にコイルを収容できる空間を備え、片側の側面板体上に凹み状の複数のボール溝槽が設けられ、各ボール溝槽内にボールが組み込まれ、前記下蓋は中央に軸孔が設けられ、前記コイルの下端部に当接され、前記鉄管外殼の底部に位置し、薄型軸受が前記軸孔内に嵌め込まれ、さらに底環状盤上の孔に穿入される位置決めボルトが設けられ、前記底環状盤は環状に配置された複数の孔及び中央孔が設けられ、前記中央孔には外側に向かって突出した環状に配列された当接板が設けられ、前記底環状盤が前記下蓋の下端部に当接されると共に、前記軸座体は末端に平面及び環状溝を設けた回動軸が設置され、前記軸座体の環状板体上に複数の凹み槽が設けられ、前記回動軸が前記鉄管外殼内に穿入され、このとき前記複数の凹み槽がそれぞれ前記ボール上に被せられて前記ボールが前記ボール溝槽と前記凹み槽の間で回転移動するように制限され、かつ、前記回動軸が前記コイル、下蓋、薄型軸受、底環状盤に穿通され、さらにC字形リングが前記回動軸末端の環状溝に嵌置され、バネが前記回動軸の平面上及び環状に配列された当接板の間に設置されることを特徴とする、請求項２に記載のミシン押さえ装置の電磁式駆動装置。
【請求項４】
前記電磁式駆動装置が２本の突出した位置決めボルトをミシンのミシンヘッド部側面カバーの孔に穿通させ、前記側面カバーから突出しているボルトにナットを螺合して固定される、請求項１に記載のミシン押さえ装置の電磁式駆動装置。
【請求項５】
電磁式駆動装置及びリンク部材機構を含み、そのうち、前記駆動装置がミシンヘッド部の上端部に設置され、前記駆動装置が直立式であり直線作動式の可動鉄心が設けられ、前記可動鉄心の下端部に牽引片が設けられ、前記牽引片が直接押さえ装置上軸固定部材に接続されることを特徴とする、ミシン押さえ装置の電磁式駆動装置。
【請求項６】
電磁式駆動装置及びリンク部材機構を含み、そのうち、前記駆動装置がミシンヘッド部の上端部に設置され、前記駆動装置が横臥式であり直線作動式の可動鉄心が設けられ、前記可動鉄心の末端にガイド部材が軸着され、支点固定座部がミシンヘッド部の上端部に固定され、前記支点固定座部上に支点軸を用いて持ち上げ部材が軸支され、前記ガイド部材と持ち上げ部材の左側の端が相互に軸着され、前記持ち上げ部材の右側の端に長孔が設けられ、前記牽引片上端部の突起軸に軸着され、前記牽引片が直接押さえ装置上軸固定部材に接続されることを特徴とする、ミシン押さえ装置の電磁式駆動装置。
【考案の詳細な説明】
【技術分野】
【０００１】
本考案はミシン押さえ装置の電磁式駆動装置の設計に関し、詳細には、可動鉄心を備えた電磁石をミシンのミシンヘッド部側に設置し、リンク部材機構を組み合わせて押さえ装置の昇降を電気制御し、ミシン縫い作業をより円滑に行うことができる、ミシン押さえ装置の電磁式駆動装置に関する。
【背景技術】
【０００２】
押さえ装置はミシンにおいて布を押さえるために用いられ、一般的な従来のミシンを用いたミシン縫い作業は、一つの作業物品の縫い合わせが終わり続いて次の物品の縫い合わせを行うとき、手動で押さえ装置の高さを上げ、２つの作業物品間の作業を連続させ、縫い糸が絡まることがないようにする。しかしながら、従来の作業者は手動で押さえ装置の高さを変える作業方法に頼る必要があり、手動ではミシン縫い作業が中断されて生産効率が低くなってしまうという欠点があり、効率を上げるために連動機構と電磁駆動装置を用いた作動装置が設計されており、適当なタイミング下で自動的に電磁装置を起動して押さえ装置を上げるようにしている。
【考案の開示】
【考案が解決しようとする課題】
【０００３】
本考案の主な目的は、電磁式駆動装置設置を押さえ装置に近い側のミシンヘッド部に設置し、回転式可動鉄心を応用した電磁石にリンク部材機構を組み合わせ、押さえ装置の昇降作用を電気制御し、ミシン縫い作業をより円滑に行うことができる、ミシン押さえ装置の電磁式駆動装置を提供することにある。
【０００４】
本考案の別の目的は、電磁式駆動装置に結合されたリンク部材の構造が簡潔で、生産が容易であり、製造コストを抑えることができる、ミシン押さえ装置の電磁式駆動装置を提供することにある。
【０００５】
本考案のさらに別の目的は、電気制御押さえ装置の上昇または下降の精度を維持しやすく、常に機構の微調整作業を行わなくてもよい、ミシン押さえ装置の電磁式駆動装置を提供することにある。  
【課題を解決するための手段】
【０００６】
上述の目的を達するため、本考案のミシン押さえ装置の電磁式駆動装置は、制御を受ける電磁式駆動装置を押さえ装置に近い側に設置し、回転式可動鉄心を備えた電磁石をミシンのミシンヘッド部横に設置し、内部リンク部材機構に接続して押さえ装置の昇降を電気制御するものである。同時に、直線式可動鉄心を備えた電磁石をミシンヘッド部上端に設置し、内部リンク部材機構に接続して押さえ装置の昇降を電気制御するようにしてもよい。これにより、可動鉄心が迅速に反応して駆動され、精確に押さえ装置を昇降させることができ、且つ、各部材が短小、簡単であり、製造コストを抑えることができ、同時にメンテナンスも簡便にすることができる。        
【実施例１】
【０００７】
図１から図３に示すように、本考案のミシン押さえ装置の電磁式駆動装置は、電磁駆動装置10をミシンのミシンヘッド部近くの側面に設置し、前記電磁駆動装置10は鉄管外殼11、コイル12、下蓋13、底環状盤14、C字形リング15、バネ16、軸座体17、回動軸18及び複数のボール19から構成される。前記鉄管外殼11は内部にコイル12を設置する空間を備え、前記鉄管外殼11はさらに片側の側面板体上に複数の陥没状のボール溝槽21が設けられ、各ボール溝槽21内にはグリースを塗った後ボール19が組み込まれ、さらに前記軸座体17上の回動軸18を鉄管外殼１１の中に穿入させ、前記軸座体17の環状板体上に設けた複数の凹み槽22が前記ボール19上にそれぞれ被せられ、ボール19がボール溝槽21と凹み槽22の間で移動するよう制限される。前記コイル12は回動軸18が穿出されている側から前記鉄管外殼11内に設置され、コイル12の底部は下蓋13により当接され、さらに下蓋13の軸孔23内に薄型軸受24が設置され、前記回動軸18が薄型軸受24に穿通されて軸孔23との過度の摩擦が防止され、前記底環状盤14が前記下蓋13の底部に当接され、下蓋13上の位置決めボルト25が底環状盤14上の孔26に穿入され、底環状盤14の中央孔には外側に向かって突出した当接板２７が環状に配列され、前記回動軸18の末端には平面28及び環状溝29が形成され、前記C字形リング15が前記環状溝29と嵌合された後、下蓋13と鉄管外殼11及び軸座体17が一体として結合され、バネ16が回動軸18の平面28上及び環状に配列された当接板27の間に設置され、全体を組み立てると通電後に可動鉄心の回動軸18は右方向に約25度の角度で回動が可能になる。
【０００８】
図４、図５に示すように、本考案のミシン押さえ装置の電磁式駆動装置10は２本の突出した位置決めボルト25をミシンのミシンヘッド部30の側面カバー31の孔(図示しない)に穿入し、穿通された位置決めボルト２５にナットを螺合して固定される。リンク部材機構は横方向に設置される第一リンク部材32を含み、その一端が回動軸18上に固定され、縦方向に設置される第二リンク部材33が前記第一リンク部材32の延伸された末端に軸着され、前記第二リンク部材33の下端部が押さえ装置上軸固定部材34の板体上に軸着され、簡単な三連部材機構が形成される。押さえ装置上軸固定部材34の先端部は押さえ装置40の高さ調整軸35上に接続され、復帰バネ36が設置され、調整軸35の上端部に調整リング37が螺合され、調整リング37を回転し昇降高さ位置を調整することにより、下端の押さえ装置40が布面を押さえる強さが決定される。
【０００９】
図５、図６に示すように、電磁式駆動装置10をミシンヘッド部30の側面カバー31上に設置し、自動制御によりミシン縫いを一定段階まで行うと、自動電気制御が回動軸18に一定角度の回動(本実施例においては25度の角度の回動)を行わせ、回動軸18の回動により一体として連結された第一リンク部材32が上方向に持ち上がり、続いて間接的に第二リンク部材33が上方向に移動させ、第二リンク部材33下端部が高さ調整軸35上に接続された固定部材34に連結されているため、迅速に反応して押さえ装置40を上昇させることができる。
【実施例２】
【００１０】
図７、図８に示すように、この別の実施例においては、本考案により設計された電磁式駆動装置50は押さえ装置40の近くに設置されるが、ここでは電磁式駆動装置50はミシンヘッド部30の上端部に設置され、応用される電磁式駆動装置50は直立式で直線作動式の可動鉄心51を設けたものであり、可動鉄心51下端部に牽引片52が設けられ、この牽引片52を直接押さえ装置40上軸固定部材34に接続したものであり、その他関連部材は前述の実施例と同じであるため、ここでは説明を省略する。これにより、軸心が直線作動する駆動装置50に通電すると、可動鉄心51が垂直に上昇し、牽引片52が上方向に引っ張られ、同様に間接的に押さえ装置40を上方向に持ち上げる機能が得られる。      
【実施例３】
【００１１】
図９に示すように、この実施例においては、本考案により設計された電磁式駆動装置６0は押さえ装置40の近くに設置されるが、ここでは電磁式駆動装置６0はミシンヘッド部30の上端部に設置され、応用される駆動装置60は横臥式で直線作動式の可動鉄心61を設けたものであり、連結されるリンク部材機構にはガイド部材62を用い可動鉄心61末端に軸着し、さらに支点固定座部63をミシンヘッド部30上面に設置し、前記支点固定座部６３上に支点軸65を用いて持ち上げ部材64を軸支し、ガイド部材62と持ち上げ部材64の左側端を相互に軸着し、同時に持ち上げ部材64右側端に長孔66を設けて牽引片52上端の突起軸67に連結し、牽引片52を直接押さえ装置40上軸固定部材34に連結する。これにより、駆動装置60が通電されると可動鉄心61が右方向へ移動し、ガイド部材62が動かされて持ち上げ部材64左側端が引かれ、支点固定座部63のてこの原理作用により持ち上げ部材64右側端が上方向に牽引片52を持ち上げ、間接的に押さえ装置40を上方向に持ち上げる機能が得られる。
【００１２】
上述のように、本考案は電磁駆動装置をミシンのミシンヘッド部近くに設置し、連結された簡易なリンク部材機構を間接的にミシン押さえ装置の電磁式駆動装置と共に動作させ、電磁駆動装置が迅速に押さえ装置の上昇または下降の動作を完了させることができ、実用的な設計となっている。
【００１３】
以上で述べた説明は本考案の最良の実施例に基づくものであり、本考案の実施の範囲を制限するものではなく、本考案の請求の範囲及び明細書の内容に基づく簡単な同等効果を得る変化や修飾はすべて本考案の特許範囲内に含まれるものとみなす。
【図面の簡単な説明】
【００１４】
【図１】本考案の実施例１の電磁駆動装置の構造を示す立体分解図である。
【図２】本考案の実施例１の電磁駆動装置の立体外観図である。
【図３】本考案の実施例１の電磁駆動装置の断面図である。
【図４】本考案の実施例１の設置後の状態を示す立体斜視図である。
【図５】本考案の実施例１の設置後の状態を示す側面透視図である。
【図６】本考案の実施例１の駆動状態を示す側面透視図である。
【図７】本考案の実施例２の設置状態を示す立体斜視図である。
【図８】本考案の実施例２の駆動状態を示す側面透視図である。
【図９】本考案の実施例３の設置状態を示す透視図である。
【符号の説明】
【００１５】
１０        電磁式駆動装置
１１        外殼              
１２        コイル
１３        下蓋              
１４        底環状盤
１５        C字形リング          
１６        バネ
１７        軸座体              
１８        回動軸
１９        ボール
２１        ボール溝槽          
２２        凹み槽
２３        軸孔              
２４        薄型軸受
２５        位置決めボルト          
２６        孔
２７        当接板              
２８        平面
２９        環状溝
３０        ミシンヘッド部            
３１        側面カバー
３２        第一リンク部材          
３３        第二リンク部材
３４        押さえ装置上軸固定部材  
３５        調整軸
３６        復帰バネ          
３７        調整リング
４０        押さえ装置
５０        電磁式駆動装置    
５１        可動鉄心
６０        電磁式駆動装置    
６１        可動鉄心
６２        ガイド部材            
６３        支点固定座部
６４        持ち上げ部材              
６５        支点軸
６６        長孔              
６７        突起軸
【図１】
0003123666.tif 000003
【図２】
0003123666.tif 000004
【図３】
0003123666.tif 000005
【図４】
0003123666.tif 000006
【図５】
0003123666.tif 000007
【図６】
0003123666.tif 000008
【図７】
0003123666.tif 000009
【図８】
0003123666.tif 000010
【図９】
0003123666.tif 000011
【手続補正書】
【提出日】平成18年5月18日(2006.5.18)
【手続補正１】
【補正対象書類名】実用新案登録請求の範囲
【補正対象項目名】全文
【補正方法】変更
【補正の内容】
【実用新案登録請求の範囲】
【請求項１】
電磁式駆動装置及びリンク部材機構を含むミシン押さえ装置の電磁式駆動装置であって、そのうち、前記電磁式駆動装置がミシンのミシンヘッド部付近の側面カバーに設置され、前記電磁式駆動装置の可動鉄心が第一リンク部材に連結され、前記第一リンク部材の延伸された末端が第二リンク部材に連結され、さらに前記第二リンク部材の下端部が固定部材に連結され、前記固定部材が調整軸上に固定され、前記調整軸の下端部に押さえ装置が設けられ、電磁式駆動装置により迅速に反応しミシンの押さえ装置を昇降させることを特徴とした、ミシン押さえ装置の電磁式駆動装置。
【請求項２】
前記電磁式駆動装置の可動鉄心が回動式であり、回動軸に約25度の角度の回転をさせることができる、請求項１に記載のミシン押さえ装置の電磁式駆動装置。
【請求項３】
前記電磁式駆動装置がさらに、鉄管外殼、前記鉄管外殼内部に組み込まれたコイル、下蓋、底環状盤、軸座体を含み、前記鉄管外殼は内部にコイルを収容できる空間を備え、片側の側面板体上に凹み状の複数のボール溝槽が設けられ、各ボール溝槽内にボールが組み込まれ、前記下蓋は中央に軸孔が設けられ、前記コイルの下端部に当接され、前記鉄管外殼の底部に位置し、薄型軸受が前記軸孔内に嵌め込まれ、さらに底環状盤上の孔に穿入される位置決めボルトが設けられ、前記底環状盤は環状に配置された複数の孔及び中央孔が設けられ、前記中央孔には外側に向かって突出した環状に配列された当接板が設けられ、前記底環状盤が前記下蓋の下端部に当接されると共に、前記軸座体は末端に平面及び環状溝を設けた回動軸が設置され、前記軸座体の環状板体上に複数の凹み槽が設けられ、前記回動軸が前記鉄管外殼内に穿入され、このとき前記複数の凹み槽がそれぞれ前記ボール上に被せられて前記ボールが前記ボール溝槽と前記凹み槽の間で回転移動するように制限され、かつ、前記回動軸が前記コイル、下蓋、薄型軸受、底環状盤に穿通され、さらにC字形リングが前記回動軸末端の環状溝に嵌置され、バネが前記回動軸の平面上及び環状に配列された当接板の間に設置されることを特徴とする、請求項２に記載のミシン押さえ装置の電磁式駆動装置。
【請求項４】
前記電磁式駆動装置が２本の突出した位置決めボルトをミシンのミシンヘッド部側面カバーの孔に穿通させ、前記側面カバーから突出しているボルトにナットを螺合して固定される、請求項１に記載のミシン押さえ装置の電磁式駆動装置。
【請求項５】
電磁式駆動装置及びリンク部材機構を含み、そのうち、前記駆動装置がミシンヘッド部の上端部に設置され、前記駆動装置が直立式であり直線作動式の可動鉄心が設けられ、前記可動鉄心の下端部に牽引片が設けられ、前記牽引片が直接押さえ装置上軸固定部材に接続されることを特徴とする請求項１に記載のミシン押さえ装置の電磁式駆動装置。
【請求項６】
電磁式駆動装置及びリンク部材機構を含み、そのうち、前記駆動装置がミシンヘッド部の上端部に設置され、前記駆動装置が横臥式であり直線作動式の可動鉄心が設けられ、前記可動鉄心の末端にガイド部材が軸着され、支点固定座部がミシンヘッド部の上端部に固定され、前記支点固定座部上に支点軸を用いて持ち上げ部材が軸支され、前記ガイド部材と持ち上げ部材の左側の端が相互に軸着され、前記持ち上げ部材の右側の端に長孔が設けられ、前記牽引片上端部の突起軸に軸着され、前記牽引片が直接押さえ装置上軸固定部材に接続されることを特徴とする請求項１に記載のミシン押さえ装置の電磁式駆動装置。